(57)【要約】【課題】  相対して平行する壁、又は、枠の空間の最短距離を測定するのに、片方の壁面、又は、枠面から直角に伸びた長さが最短距離であるが、スチールテープの先端を対向する面に接触させて、スチールテープを引き伸ばし巻尺ケースを上下させて距離を測っていた。さらに、品物の直径も数値を記憶しないで加工する材料に原寸のまま写したい。【解決手段】  巻尺ケースのスチールテープの出入り口と反対側の巻尺ケースの底辺と立ち上がり一辺の交差する角度を９０度にすることにより、巻尺ケースの立ち上がり一辺を一方の壁面に面接触させるとこの面に対して９０度となる底辺の延長線方向へスチールテープを伸ばすことができ、対向する壁面の最短距離が測定し易く、スチールテープの出入り口の下に巻尺ケースから突き出した顎を設けると、スチールテープの先端のフックと顎の間に挟んだ測定値を記憶せず、この原寸を加工しようとする材料に写すことができる。【選択図】  図２
2005331390.tif 000002
【特許請求の範囲】
【請求項１】
ストッパー付き巻尺のスチールテープの出入り口の反対側に位置する巻尺ケースに計測部を設け、この計測部が内法を計測すべき物品の一の内面に当接すると共に、前記スチールテープの先端を対向する内面に当接した後、ストッパーを作動してスチールテープを固定し、内法を計測する巻尺において、前記計測部は、巻尺ケースの底辺とこれより立ち上がる一辺の交差部であって、その交差角度が９０度となす内法計測時に前記一辺が前記一の壁に面接触することを特徴とする巻尺。
【請求項２】
巻尺のスチールテープの出入り口の下に巻尺ケースから突き出た顎を設け、測定物をスチールテープの先端のフックと突き出た顎の間に挟みストッパーを作動して、フックと顎との間を目盛で読まず加工する材料に原寸で写せることを特徴とする請求項１の巻尺。
【請求項３】
スチールテープと巻尺ケースを合算して内法の数値を読む場合、突き出た顎の先端でスチールテープを読むと見易く正確で、測定した顎の先端のスチールテープの数値と巻尺ケースの底辺の目盛りの数値を１体化して数字も読めるように、突き出た顎から立ち上がる一辺までの底辺に目盛り設けたことを特徴とする請求項１から請求項２の巻尺。
【発明の詳細な説明】
【技術分野】
【０００１】
本発明は、平面に巻尺を面接触させて、対向する面との距離が測定でき、さらに、品物の外径も測定できる巻尺である。
【背景技術】
【０００２】
従来の巻尺は、相対する壁、又は、枠の空間での入隅の短い距離の内法を測るとき、１方の壁、又は、枠にスチールテープの先端を手で押えて接触させ、他方の壁、又は、枠にスチールテープを引出してスチールテープを折り曲げるかスチールテープの反対側の巻尺ケースの出っ張りによる点接触で巻尺ケースを上下、又は、左右に動かし最短距離を測定した。
【特許文献１】特開塀１０−２８１７０３
【発明の開示】
【発明が解決しようとする課題】
【０００３】
相対する空間の平行する面の距離を測るのに、伸ばしたスチールテープを目見当でテープの先端や巻尺ケースを動かして巻尺ケースの計測部までの点接触による不安定な測定を巻尺ケースを面接触させ安定した状態で測定。
【課題を解決するための手段】
【０００４】
請求項１の巻尺の発明は、ストッパー付き巻尺のスチールテープの出入り口の反対側に位置する巻尺ケースに計測部を設け、この計測部が内法を計測すべき物品の一の内面に当接すると共に、前記スチールテープの先端を対向する内面に当接した後、ストッパーを作動してスチールテープを固定し、内法を計測する巻尺において、前記計測部は、巻尺ケースの底辺とこれより立ち上がる一辺の交差部であって、その交差角度が９０度となす内法計測時に前記一辺が前記一の壁に面接触する巻尺。
【０００５】
請求項２の巻尺の発明は、巻尺のスチールテープの出入り口の下に巻尺ケースから突き出た顎を設け、機械で使うノギスと同様に測定物をスチールテープの先端のフックと突き出た顎の間に挟み、測定後ストッパーを作動して、フックと顎との間隔を目盛を記憶せずに加工しようとする材料に原寸で写せる巻尺。
【０００６】
請求項３の巻尺の発明は、スチールテープと巻尺ケースを合算して内法の数値を読む場合、突き出た顎の先端でスチールテープを読むと見易く正確で、測定した顎の先端のスチールテープの数値と巻尺ケースの底辺の目盛りの数値を１体化して数字が読めるように、突き出た顎から立ち上がる一辺までの底辺に目盛り設けた請求項１から請求項２の巻尺。
【発明の効果】
【０００７】
測定しようとする一方の壁面に巻尺の立ち上がる一辺を面接触させれば接触面に対して直角にテープが引き出せるので最短距離で、他方の面にスチールテープの先端を接触させることができストッパーを作動させれば巻尺を片手で測定面に安定して押えることができ測定し易い。さらに、スチールテープのフックと巻尺ケースの顎の間に測定物を挟めば測定値を原寸のまま、他の加工材料に写すことができる。
【発明を実施するための最良の形態】
【０００８】
巻尺ケース１の底辺と５の交差部３を９０度にして、壁１２に立ち上がる一辺５を面接触させると底辺４の延長線上にスチールテープ７を伸ばせるようにし、さらに、スチールテープ７の下に巻尺ケース１の顎１０を設ける。
【実施例１】
【０００９】
図１の巻尺は、巻尺ケース１のスチールテープ７の出入り口２の反対側の交差部３となる底辺４と立ち上がる一辺５を９０度にして、さらに、スチールテープ７の出入り口２の下に突き出し顎１０を設け、伸ばしたスチールテープ７を止めるテープストッパー９を設けた正面図である。
【実施例２】
【００１０】
図２の巻尺は、相対する壁１２、又は、枠１２の空間の最短距離を測定する場合、片方の面に巻尺を面接触させ、短い距離ならば、垂直面の壁１２  又は、枠１２に面接触させた巻尺のスチールテープ７は粗水平にスチールテープ７を伸ばすことが出来るので平行する対面の最短距離を記憶せずに内法寸法を面接触なので安定した状態で測定できる正面図である。
【実施例３】
【００１１】
図３の巻尺は、テープストッパー９がストッパー板に連結しているのでテープスストッパー９を作動させるとテープストッパー板１１が内部の顎１０に押し付けられスチールテープ７の動きを止めることのできる巻尺の断面図である。
【実施例４】
【００１２】
図５、図６の巻尺は、品物をフック８と直角巻尺ケース１の突き出した顎１０との間に挟み、顎１０の先端の上に重なったスチールテープ７の目盛を読めば品物の直径を測定できる巻尺の正面図と上部からの斜面図である。
【産業上の利用可能性】
【００１３】
測定する１方の壁に巻尺の立ち上がる一辺を面接触させスチールテープを伸ばすと巻尺ケースの底辺が対向する壁に向き底辺の延長方向に伸ばしたスチールテープの距離が短ければ重力で折れ曲がることがなくスチールテープを伸ばすだけで巻尺の立ち上がる一辺から対向する壁の最短距離を測定でき、さらに、スチールテープのフックと巻尺ケースの顎の間の品物の直径も測定できる。
【図面の簡単な説明】
【００１４】
【図１】巻尺の正面図である。
【図２】巻尺の平行する壁の空間の距離を測定した数値を記憶せずに、スチールテープのフックから巻尺の交差部までを原寸で加工する材料に写す前の測定している正面図である。
【図３】巻尺のスチールテープを少し伸ばした断面図である。
【図４】巻尺のスチールテープを少し伸ばした斜視図である。
【図５】品物をスチールテープのフックと直角巻尺の顎で挟み測定している正面図である。
【図６】巻尺のスチールテープを少し伸ばした上部からの斜視図である。
【符号の説明】
【００１５】
１        巻尺ケース
２        出入り口
３        交差部
４        底辺
５        立ち上がる1辺
６        目盛
７        スチールテープ
８        フック
９        テープストッパー
１０      顎
１１      テープストッパー板
１２      壁、枠
【図１】
2005331390.tif 000003
【図２】
2005331390.tif 000004
【図３】
2005331390.tif 000005
【図４】
2005331390.tif 000006
【図５】
2005331390.tif 000007
【図６】
2005331390.tif 000008